(57)【特許請求の範囲】
【請求項１】
電気化学的にリチウムを吸蔵および放出するリチウム二次電池用の負極活物質粒子を製造する方法であって、
シリコンの全部または一部と第１の他の金属元素とを合金化させてシリコン合金粒子を製造するための第１のステップと、
前記シリコン合金粒子表面の全部または一部を第２の他の金属元素でさらに合金化および／または表面処理し、非晶質領域を有するシリコン合金粒子に改質するための第２のステップと、そして
前記非晶質領域を有するシリコン合金粒子に第１の導電性材料を固着させるための第３のステップとを含み、
かつ、前記第１の他の金属元素は、少なくとも鉄、アルミニウム、クロムおよびマグネシウムよりなる群から選ばれた１種以上の金属元素であり、前記第２の他の金属元素は、少なくとも鉄、アルミニウム、銅、ニッケル、クロム、マグネシウム、鉛、錫、亜鉛、ビスマスおよびアンチモンよりなる群から選ばれた１種以上の金属元素であることを特徴とする、リチウム二次電池用負極活物質粒子の製造方法。
【請求項２】
前記第２のステップは、少なくともメカニカルアロイング法、メカニカルグライディング法、液体急冷法および気体急冷法から選ばれた１又は２以上の製法であることを特徴とする、請求項１記載のリチウム二次電池用負極活物質粒子の製造方法。
【請求項３】
前記第２のステップは、不活性ガス雰囲気の下で実施されるものであることを特徴とする、請求項１または２記載のリチウム二次電池用負極活物質粒子の製造方法。
【請求項４】
前記第３のステップは、少なくともメカニカルアロイング法、メカニカルグライディング法、メカノフュージョン法、ハイブリダイジング法および焼結法より選ばれた１又は２以上の製法であることを特徴とする、請求項１〜３いずれかに記載のリチウム二次電池用負極活物質粒子の製造方法。
【請求項５】
電気化学的にリチウムを吸蔵および放出するリチウム二次電池用の負極を製造する方法であって、
シリコンの全部または一部と第１の他の金属元素とを合金化させてシリコン合金粒子を製造するための第１のステップと、
前記シリコン合金粒子表面の全部または一部を第２の他の金属元素でさらに合金化および／または表面処理し、非晶質領域を有するシリコン合金粒子に改質するための第２のステップと、
前記非晶質領域を有するシリコン合金粒子に第１の導電性材料を固着させるための第３のステップと、そして
前記第１の導電性材料を固着させたシリコン合金粒子を含む被覆材料を負極集電体に表面処理し、負極を形成させるための第４のステップとを含み、
かつ、前記第１の他の金属元素は、少なくとも鉄、アルミニウム、クロムおよびマグネシウムよりなる群から選ばれた１種以上の金属元素であり、前記第２の他の金属元素は、少なくとも鉄、アルミニウム、銅、ニッケル、クロム、マグネシウム、鉛、錫、亜鉛、ビスマスおよびアンチモンよりなる群から選ばれた１種以上の金属元素であることを特徴とする、リチウム二次電池用負極の製造方法。
【請求項６】
前記第２のステップは、少なくともメカニカルアロイング法、メカニカルグライディング法、液体急冷法および気体急冷法から選ばれた１又は２以上の製法であることを特徴とする、請求項５に記載のリチウム二次電池用負極の製造方法。
【請求項７】
前記第２のステップは、不活性ガス雰囲気の下で実施されるものであることを特徴とする、請求項５または６記載のリチウム二次電池用負極の製造方法。
【請求項８】
前記第３のステップは、少なくともメカニカルアロイング法、メカニカルグライディング法、メカノフュージョン法、ハイブリダイジング法および焼結法より選ばれた１又は２以上の製法であることを特徴とする、請求項５〜７のいずれかに記載のリチウム二次電池用負極の製造方法。
【請求項９】
前記被覆材料は、バインダー含むことを特徴とする、請求項５〜８のいずれかに記載のリチウム二次電池用負極の製造方法。
【請求項１０】
リチウム二次電池用負極の被覆層に所定の空隙を形成させるために、表面処理後、リチウム二次電池用負極を加圧成形しないことを特徴とする、請求項５〜９のいずれかに記載のリチウム二次電池用負極の製造方法。
【請求項１１】
請求項５〜１０のいずれかに記載の方法により得られる負極を使用することを特徴とする、リチウム二次電池の製造方法。
【発明の詳細な説明】
【技術分野】
【０００１】
本発明は、リチウム二次電池用の新規な高容量の負極活物質粒子およびその製造方法に関し、特に、電気化学的にリチウムを吸蔵および放出するリチウム二次電池用の負極活物質粒子であって、シリコンと第１の他の金属元素よりなる非晶質組織を有するシリコン合金粒子の全部または一部の表面が第２の他の金属元素および／または導電性炭素材料でさらに表面処理されていることを特徴とするリチウム二次電池用負極活物質粒子およびその製造方法に関する。
【背景技術】
【０００２】
リチウム二次電池は、特に携帯用機器に使用される。昨今の携帯用機器に代表される携帯電話および携帯用パソコンにおいて多くの機能が付加されて使用される電池には、その機器の作動電圧に応じた出力電圧と、使用時間に影響する電池容量を大きくする要求がある。特に、使用時間を長くするための電池容量の増加については、限られた電池スペースでは電気エネルギーを蓄える活物質のエネルギー密度を高める以外に電池の容量を増加させることはできない。
【０００３】
従来から使用されている代表的なリチウム二次電池の正極活物質はコバルト酸リチウムであり、負極活物質は黒鉛である。このような電池材料構成で容積エネルギー効率を４００Ｗｈ／Ｌ以上にするのは困難である。特に、負極活物質としての黒鉛の理論エネルギー量は３７２ｍＡｈ／ｇであるために限界があり、他の種類の負極活物質の利用が各研究機関や電池製造メーカーで研究開発されている。
【０００４】
そのような中で考えられている負極活物質材としてはシリコン、錫、金属リチウムなどがあり、金属リチウムについてはリチウムデンドライトの発生、シリコンおよび錫についてはリチウムイオンの吸蔵・放出に伴う体積膨張・収縮による結晶構造の破壊および微粒子化による孤立化などによる利用率低下などが問題としてあり、それらの改善が色々となされている。
【特許文献１】特開平８−５０９２２号公報
【特許文献２】特開平８−２１３００８号公報
【特許文献３】特開２００１−３３２２５４号公報
【特許文献４】特開２００２−８３５９４号公報
【特許文献５】特開２００３−１０９５８９号公報
【特許文献６】特開２００３−７７５２９号公報
【特許文献７】ＷＯ００／１７９４９号国際公開公報
【特許文献８】ＷＯ０１／０２９９１２号国際公開公報
【発明の開示】
【発明が解決しようとする課題】
【０００５】
負極活物質としてのシリコンは、リチウムイオンの吸蔵・放出に伴う体積膨張・収縮の比率が大きく、また、粒子の微粒子化が起こり易いために電気的な繋がりが阻害され、充放電サイクルと共に充電放電ができ難くなるといった問題がある。
【０００６】
本発明は、以上のような問題を解決することを目的に開発されたものであって、その主な目的は、（１）負極活物質粒子のリチウムイオンの吸蔵・放出に伴う粒子の微細化の抑制と、（２）負極活物質粒子のリチウムイオンの吸蔵・放出に伴う粒子の微細化が起こっても微細化された微粒子の電気的な繋がりを保持させることにある。
【０００７】
この結果、本発明のさらなる目的としては、（３）比較的簡単な工程で製造でき、リチウムイオンの吸蔵及び放出時における体積変化を低減できるリチウム二次電池用負極活物質粒子およびその製造方法並びにその負極活物質粒子を用いた負極およびリチウム二次電池を提供することにある。
【０００８】
また、本発明の別の目的としては、（４）充放電効率が高く、サイクル寿命及びエネルギー密度が低下せず、さらに、内部抵抗が増大しないリチウム二次電池を提供することにある。
【課題を解決するための手段】
【０００９】
本発明による負極活物質粒子およびその製造方法は、シリコンを用いた非晶質領域を有するシリコン合金粒子とその製造方法に特徴があり、特に、電気化学的にリチウムイオンを吸蔵および放出するリチウム二次電池用の負極活物質粒子であって、シリコンと他の金属元素よりなる非晶質領域を有するシリコン合金粒子の全部または一部の表面を第１の導電性材料で表面処理することにより、電気的特性の良好な負極活物質粒子およびその製造方法を提供するものである。
【００１０】
本発明による負極活物質粒子は、電気化学的にリチウムイオンを吸蔵および放出するリチウム二次電池用の負極活物質粒子であって、シリコンと他の金属元素よりなる非晶質領域を有するシリコン合金粒子の全部または一部の表面が第１の導電性材料でさらに表面処理されたものである。
【００１１】
すなわち、本発明による負極活物質粒子は、シリコンと他の金属元素とを合金化した非晶質組織を有するシリコン合金粒子を母材として、さらに、その表面の全部または一部に第１の導電性材料を粒子形状又は繊維状のまま固着させたり層状に被覆させたりすることにより、極めて複雑な形状を有する負極活物質粒子を提供することができる。
【００１２】
この負極活物質粒子の形状は、負極活物質による被覆層が負極集電体上に形成された後、各粒子の間に適当な空隙を形成する。シリコンを主体とする負極活物質粒子自体はリチウムイオンを吸蔵するときに膨張しリチウムイオンを放出するときに収縮するが、負極活物質粒子間に形成された空隙は前記リチウムイオンの吸蔵および放出に伴う体積変化を吸収するように機能するため、充放電に伴う負極活物質粒子よりなる被覆層の体積変化を低減できる。
【００１３】
また、シリコンを主体とする非晶質組織を有する負極活物質粒子自体は、リチウムイオンの吸蔵および放出に伴う体積変化による構造変化の歪疲労から微細化が進み、孤立化による電気的接触の低下を招くが、シリコン合金粒子の表面上に固着または被覆された第１の導電性材料は、前記体積変化による微細化が進んだ後の各粒子間の電気的な繋がりを確保するためにも機能することから、負極活物質粒子の微細化にもかかわらず優れた充放電サイクル特性を有するリチウム二次電池を提供することができる。
【００１４】
このとき、負極の表面に形成された被覆層の空隙率は、３７〜６５％の範囲内にあることが好ましい。
【００１５】
このような空隙率は空隙率３７％より小さくなると、負極活物質粒子により形成された被覆層の中への電解液の浸透を困難にして、電解液の真空含浸に時間を要したり、含浸量不足で電池性能を悪化させたりする。また、逆に空隙率６５％より大きくなると、限られた容積内での電極の動きにより内部短絡が発生するといった問題を生じる。
【００１６】
したがって、このような適当な空隙を負極の被覆層の中に保持するためには、表面処理後、リチウム二次電池用の負極を加圧成形しないことによりリチウム二次電池用の負極を形成することができる負極活物質粒子を提供することが重要である。
【００１７】
本発明による負極活物質粒子の平均粒子径は２５μｍ以下であることが好ましく、さらに好ましくは５μｍ以下の平均粒子径を有する負極活物質粒子が、リチウムイオンを吸蔵・放出する際の体積変化に対応して応力歪の発生を効果的に防止し微細化を抑制することが判明した。
【００１８】
負極活物質粒子の平均粒子径が２５μｍより大きくなると、負極被覆面に凹凸が発生し、特に一部に角部を有する負極集電体上に負極活物質粒子が表面処理される負極を使用した場合には、約２３％程度の割合で内部短絡を起こしてセパレーターを損傷することが破損したリチウム二次電池を解体調査することにより確認された。
【００１９】
また、５μｍ以下の平均粒子径を有する負極活物質粒子を使用すると、各粒子間に形成された空隙がリチウムイオンの吸蔵および放出時の応力歪をより効果的に吸収するようになることから、負極活物質粒子の微細化をより一層効果的に抑制できることが判った。
【００２０】
さらに、非晶質領域を有するシリコン合金粒子の形状は、球状よりは扁平状、繊維状など細長く潰れた形状の方が粒子の微細化が進み難いことが判明した。
【００２１】
次に、本発明によるシリコンと他の金属元素よりなるシリコン合金粒子は、その全部または一部に非晶質領域を有することが好ましい。
【００２２】
また、本発明によるシリコンと他の金属元素よりなるシリコン合金粒子はその全部または一部に非晶質領域を有すればよいから、他の金属元素はシリコンの全部と合金化されている必要はなく、シリコンの一部と合金化しているものであってもよい。
【００２３】
この非晶質領域の形成は、以下に説明する方法によって作製される。
【００２４】
シリコンを非晶質化するために添加される他の金属元素としては、その添加する目的および工程の違いにより、シリコンの非晶質化を促進するために添加される第１の他の金属元素とシリコンの非晶質化および被覆するために添加される第２の他の金属元素とに大別される。
【００２５】
まず、シリコンの非晶質化を促進するためには、一般的な合金製造方法を用いて第１の他の金属元素が最終的な負極活物質粒子全体重量の０．１ｗｔ％以下となるようにプレ・シリコン合金粒子が作製される。
【００２６】
このように、シリコンにあらかじめ０．１ｗｔ％程度の他の金属元素を添加してプレ・シリコン合金粒子を作製しておくことは、例えば、この後の非晶質化工程で遊星ボールミルなどを用いて加工処理する場合にシリコンの非晶質化が第１の他の金属元素を添加しない場合には３０〜４８時間程度かかっていたのが、数時間程度の短い時間で非晶質化することを可能にする。
【００２７】
なお、シリコンと後述される第２の他の金属元素とが非晶質化した後のシリコン合金粒子の組成は、第２の他の金属元素の添加により、第１の金属元素が非晶質化されたシリコン合金粒子全体の重量の０．１ｗｔ％よりさらに低率となって含有されることになる。また、鉄が第１の他の金属元素として使用されてシリコンと合金化されている場合は、鉄には微量のシリコンが含まれているために０．１ｗｔ％以上の含有率を示して含有されることがある。
【００２８】
このように、シリコンの非晶質化を促進させるためにシリコンにあらかじめ添加される第１の他の金属元素としては、鉄、アルミニウム、クロムまたはマグネシウムなどがある。また、本発明によるシリコンと第１の他の金属元素よりなるプレ・シリコン合金粒子は、シリコンとこれらの異なる複数の第１の他の合金元素を添加することによって合金化されたものであってもよい。
【００２９】
つぎに、前記プレ・シリコン合金粒子は、第２の他の金属元素と混合され、少なくともメカニカルアロイング法、メカニカルグライディング法、液体急冷法および気体急冷法より選ばれた１又は２以上の製法により非晶質化され、全部または一部に非晶質領域を有するシリコン合金粒子が作製される。
【００３０】
また、作製されたシリコン合金粒子は、その全部または一部に非晶質領域を有すればよいから、他の金属元素はシリコンの全部と合金化されている必要はなく、シリコンの一部と合金化しているものであってもよい。さらに、後述される非晶質化されたシリコン合金粒子を表面改質するためには、前記これらの異なる製法によって作製されたシリコン合金粒子の混合粉を使用することもできる。
【００３１】このように、シリコンを非晶質化すると共にシリコンを被覆するためにプレ・シリコン合金粒子と混合される第２の他の金属元素としては、鉄、アルミニウム、銅、ニッケル、クロム、マグネシウム、鉛、錫、亜鉛、ビスマスおよびアンチモンなどがある。また、非晶質化されたシリコン合金粒子は、第１の他の金属元素と同じ又は異なる複数の前記第２の他の金属元素を混合することによって非晶質化させたものであってもよい。【００３２】
ここで、前記製法により作製された非晶質領域を有するシリコンとは、シリコンの結晶構造の違いにより非晶質シリコン、微結晶シリコン、多結晶シリコン、単結晶シリコンが存在するが、本発明においては、非晶質領域を有するシリコンの他、微結晶領域を有するシリコンを含む。
【００３３】
非晶質シリコンとは、ラマン分光分析において非晶質領域に対応する４８０ｃｍ-1近傍のピークが検出される一方、結晶領域に対応する５２０ｃｍ-1近傍のピークが実質的に検出されないものである。また、微結晶シリコンとは、ラマン分光分析において結晶領域に対応する５２０ｃｍ-1近傍のピークと、非晶質領域に対応する４８０ｃｍ-1近傍のピークとの両方が実質的に検出されるものであり、微結晶シリコンは結晶領域と非晶質領域とから実質的に構成されるものである。一方、多結晶シリコン及び単結晶シリコンは、ラマン分光分析において、結晶領域に対応する５２０ｃｍ-1近傍のピークが検出される一方、非晶質領域に対応する４８０ｃｍ-1近傍のピークが実質的に検出されないものである。
【００３４】
このように、非晶質領域を有するシリコンを用いる理由は、従来より有望視されていたシリコンまたは錫などのような負極活物質は、リチウムイオンを吸蔵したり放出したりした場合の体積膨張変化が３倍から４倍と非常に大きくなることが欠点の一つで、その結果、結晶がその体積変化に耐え切れなくなって微粉砕され、負極中で電気的な接続経路が遮断されて電気化学反応に寄与しなくなってしまうのに対して、非晶質領域を有するシリコンは、他の金属元素と合金化することによる各元素同士の強い結合力のために前記膨張・収縮に対する耐久性が高まると共に粒子自体の体積変化をも小さくでき、その結果、粒子が微粉砕されることによる負極中での電気的な接続経路の遮断を抑制する上で極めて有効であるからである。
【００３５】
また、負極と接触する界面において固体電解質を用いる場合に、このような非晶質領域を有するシリコンを用いると、前記固体電解質に含まれる成分が負極活物質粒子からなる負極表面処理層に拡散して固溶され、負極活物質粒子で表面処理された負極と固体電解質との密着性を向上させることも考えられる。
【００３６】さらに、負極と固体電解質との密着性があると、イオン伝導性が向上してより高い充放電容量が得られるようになると共に、充放電を繰り返した場合に、負極活物質粒子の体積変化による固体電解質との接触性が低下することも抑制されて、さらに優れた充放電サイクル特性が得られるようになる。また、上記のように負極と固体電解質とが接触する界面において、固体電解質に含まれる成分が負極活物質粒子の中に固溶された状態になると、金属間化合物を形成する場合のように、充放電によって固体電解質に含まれる成分と活物質とが分離されて密着性が低下するということもなく、一層優れた充放電サイクル特性が得られるようになる。【００３７】
このように、負極内の負極活物質の膨張・収縮に対する耐久性を高めて微粉砕化を抑制し、さらに、負極と固体電解質との密着性を高めることによりリチウム二次電池の充放電サイクル特性を向上させるためには、少なくとも非晶質領域がシリコンと他の金属元素よりなるシリコン合金粒子全体の重量に占める割合が８０ｗｔ％以上にすることが必要である。
【００３８】
また、非晶質領域がシリコンと他の金属元素よりなるシリコン合金粒子全体の重量に占める割合を少なくとも８０ｗｔ％以上にすると、合金粒子の体積膨張・収縮による構造破壊が抑制されることにより、リチウム二次電池の充放電５０サイクル後の容量減衰率が約１／２０まで改善され、非晶質化が進んでいないシリコン粒子またはシリコン合金粒子を用いる場合よりもリチウム二次電池容量の減衰抑制効果を一層高めることができる。
【００３９】
さらに、合金化された他の金属元素が酸化してしまうことによるリチウムイオンに対する不活性化を防止するために、プレ・シリコン合金粒子の非晶質化は不活性ガス雰囲気の下で実施されることが好ましい。
【００４０】
プレ・シリコン合金粒子と第２の金属元素とを不活性ガス雰囲気の下で固着させて表面処理すると、生成される金属酸化物を所定量以下に抑えることが可能となり、また、このような不活性ガス雰囲気の下による金属酸化物生成の抑制は、シリコン合金粒子および第２金属元素が雰囲気ガスと反応して他の金属生成物を作り出してしまうことをも排除する。
【００４１】
また、このとき生成される金属酸化物の負極活物質粒子全体の重量に占める割合が１ｗｔ％より大きくなると、初期負極活物質粒子の利用率が相乗効果で９０％以下となるため、負極活物質粒子全体の重量に占める金属酸化物の割合は１ｗｔ％以下に抑えられることが好ましい。
【００４２】
さらに、本発明による負極活物質粒子は、前記非晶質化されたシリコン合金粒子表面の全部または一部に第１の導電性材料をそのままの形状で固着させたり層状に被覆させたりすることにより、極めて複雑な形状が与えられる。
【００４３】
この負極活物質粒子の形状は、負極集電体に表面処理された後、各粒子間にできた空隙により負極活物質粒子により形成された被覆層が充放電に伴い体積変化することを吸収すると共に、体積変化した場合であっても、微細化が進んだ後の各粒子間の電気的な繋がりを保証する。
【００４４】
このように表面改質層を有する負極活物質粒子の形成は、非晶質化されたシリコン合金粒子をメカニカルアロイング法、焼結法、およびその他の表面改質複合化法（高速で複数種類の粉体同士が衝突しながら容器内を循環することにより合金化、表面処理する製法で、ハイブリダイジング法とも呼ばれる方法や、容器内壁と中心軸との間隙で粉体が押し付けられる時の摩擦熱と加圧力を利用して合金化、表面処理する製法で、メカニカルグライディング法、またはメカノフュージョン法と呼ばれているものなどがある。）を用いて第１の導電性材料で表面処理することにより行われる。また、本発明による負極活物質粒子は、これらの異なる製法によって作製された負極活物質粒子の混合粉を用いたものであってもよい。
【００４５】
前記製法の中で、特にメカニカルアロイング法、またはメカニカルグラインディング法などを用いて非晶質化されたシリコン合金粒子の表面に第１の導電性材料を被覆すると、リチウムイオンの吸蔵・放出に伴い粒子形状が破壊した場合でも、シリコン合金粒子の表面の一部にこれらの第１の導電性材料が凹凸を形成しながら残存し、かつ、粒子形状を維持していることから、固着された第１の導電性材料を媒体として各粒子間の電気的な繋がりが維持され、リチウムイオン電池容量の減少が抑制される。
【００４６】
この結果、このような表面処理がなされていない場合の負極の表面抵抗は９Ωｃｍであったものに対して、４．３Ωｃｍ〜２．６Ωｃｍまで低減され改善することができた。
【００４７】
このように、第１の導電性材料は上述したように各粒子間の導電性を確保するためなどに機能するものであるから、かかる目的を達成するための金属元素としては、少なくとも鉄、アルミニウム、銅、ニッケル、クロム、マグネシウム、鉛、錫、錫半田および亜鉛などよりなる群から選ばれた１種又は２種以上のものが好ましく、また、同じような機能を発揮できるカーボンブラック又は黒鉛などよりなる導電性炭素材料から選ばれたものであってもよい。さらに、本発明で使用される第１の導電性炭素材料は、これらの異なる複数の金属元素および／または導電性炭素材料から選ばれたものであってもよい。
【００４８】
このように、本発明により上記目的を達成するためには、負極活物質粒子に含まれる他のすべての金属元素（第１の他の金属元素、第２の他の金属元素および導電性材料中の金属元素）の前記負極活物質粒子全体の重量に占める割合が３０〜８３ｗｔ％であることが好ましい。
【００４９】
他のすべての金属元素が負極活物質粒子全体の重量に占める割合が３０ｗｔ％より少ないと、リチウムイオンの吸蔵および放出時の体積膨張・収縮に伴う構造変化の歪疲労からシリコン合金粒子の微細化が進み、孤立化により電気的接触が乏しくなる傾向を示す。また、８３ｗｔ％より多い場合は、リチウムイオン吸蔵および放出に対してシリコン合金粒子の体積膨張・収縮による微細化が抑制されることにより、孤立化により電気的接触が乏しくなるといった問題点は改善されるものの、負極活物質粒子としての電池容量が極めて小さくなるといった問題点が生ずることになる。
【００５０】
次に、本発明による負極活物質粒子およびそれを用いたリチウム二次電池用の負極の形成方法について説明する。
【００５１】
本発明によるリチウム二次電池用の負極活物質粒子の製造方法は、電気的化学にリチウムを吸蔵および放出するリチウム二次電池用の負極活物質粒子を製造する方法であって、
シリコンの全部または一部と第１の他の金属元素とを合金化させてシリコン合金粒子を製造するための第１のステップと、
前記シリコン合金粒子表面の全部または一部を第２の金属元素でさらに合金化および／または表面処理し、非晶質領域を有するシリコン合金粒子に改質するための第２のステップと、そして
前記非晶質領域を有するシリコン合金粒子に第１の導電性材料を固着させるための第３のステップと、
を含むこと特徴とする。
【００５２】
また、本発明によるリチウム二次電池用の負極の製造方法は、電気化学的にリチウムを吸蔵および放出するリチウム二次電池用負極を製造する方法であって、
シリコンの全部または一部と第１の金属元素とを合金化させてシリコン合金粒子を製造するための第１のステップと、
前記シリコン合金粒子表面の全部または一部を第２の金属元素でさらに合金化および／または表面処理し、非晶質領域を有するシリコン合金粒子に改質するための第２のステップと、
前記非晶質領域を有するシリコン合金粒子に第１の導電性材料を固着させるための第３のステップと、そして
前記第１の導電性材料を固着させたシリコン合金粒子を含む被覆材料を負極集電体に表面処理し、負極を形成させるための第４のステップと
を含むことを特徴とする。
【００５３】
前記第１のステップは、シリコンと第１の他の金属元素とを、例えば、溶解法などの一般的な合金化方法を用いることにより、プレ・シリコン合金粒子を作製することができる。
【００５４】
前記第２のステップは、前記プレ・シリコン合金粒子と第２の他の金属元素とを混合し、少なくともメカニカルアロイング法、メカニカルグライディング法、液体急冷法および気体急冷法より選ばれた１又は２以上の製法を用いることによりプレ・シリコン合金粒子を非晶質化し、その全部または一部に非晶質領域を有するシリコン合金金粒子が作製される。
【００５５】
また、作製されたシリコン合金粒子はその全部または一部に非晶質領域を有すればよいから、他の金属元素はシリコンの全部と合金化されている必要はなく、シリコンの一部と合金化しているものであってもよい。さらに、後述される非晶質化されたシリコン合金粒子を複雑形状化するための第３のステップにおいては、前記これらの異なる製法によって作製されたシリコン合金粒子の混合粉を使用することもできる。
【００５６】
このように非晶質領域を有するシリコンを用いると、従来より有望視されていたシリコンまたは錫などのような負極活物質は、リチウムイオンを吸蔵したり放出したりした場合の体積膨張変化が３倍から４倍と非常に大きくなることが欠点の一つで、その結果、結晶がその体積変化に耐え切れなくなって微粉砕され、負極中で電気的な接続経路が遮断されて電気化学反応に寄与しなくなってしまうのに対して、非晶質領域を有するシリコンは、他の金属元素と合金化することによる各元素同士の強い結合力のために前記膨張・収縮に対する耐久性が高まると共に粒子自体の体積変化をも小さくでき、その結果、粒子が微粉砕されることによる負極中での電気的な接続経路の遮断を抑制するのに極めて効果的である。
【００５７】
また、負極と接触する界面において固体電解質を用いる場合に、このような非晶質領域を有するシリコンを用いると、前記固体電解質に含まれる成分が負極活物質粒子からなる負極表面処理層に拡散して固溶され、負極活物質粒子で表面処理された負極と固体電解質との密着性を向上させることも考えられる。
【００５８】
また、負極と固体電解質との密着性が高まると、イオン伝導性が向上してより高い充放電容量が得られるようになると共に、充放電を繰り返した場合に、負極活物質粒子の体積変化による固体電解質との接触性が低下することも抑制されて、さらに優れた充放電サイクル特性が得られるようになる。また、上記のように負極と固体電解質とが接触する界面において、固体電解質に含まれる成分が負極活物質粒子の中に固溶された状態になると、金属間化合物を形成する場合のように、充放電によって固体電解質に含まれる成分と活物質とが分離されて密着性が低下するということもなく、一層優れた充放電サイクル特性が得られるようになる。
【００５９】
さらに、合金化された他の金属元素が酸化してしまうことによるリチウムイオンに対する不活性化を防止するために、第２のステップによるプレ・シリコン合金粒子の非晶質化は不活性ガス雰囲気の下で実施されることが好ましい。
【００６０】
プレ・シリコン合金粒子と第２の金属元素とを不活性ガス雰囲気の下で固着させて表面処理すると、生成された金属酸化物を所定量以下に抑えることが可能となり、また、このような不活性ガス雰囲気の下による金属酸化物生成の抑制は、シリコン合金粒子および第２金属元素が雰囲気ガスと反応して他の金属生成物を作り出してしまうことをも排除する。
【００６１】
また、このとき生成される金属酸化物の負極活物質粒子全体の重量に占める割合が１ｗｔ％より大きくなると、初期負極活物質粒子の利用率が相乗効果で９０％以下となるため、負極活物質粒子全体の重量に占める金属酸化物の割合は１ｗｔ％以下に抑えられることが好ましい。
【００６２】
第３のステップよる複雑形状を有する負極活物質粒子の形成は、非晶質化されたシリコン合金粒子をメカニカルアロイング法、焼結法、およびその他の表面改質複合化法（高速で複数種類の粉体同士が衝突しながら容器内を循環することにより合金化、表面処理する製法で、ハイブリダイジング法とも呼ばれる方法や、容器内壁と中心軸との間隙で粉体が押し付けられる時の摩擦熱と加圧力を利用して合金化、表面処理する製法で、メカニカルグライディング法、またはメカノフュージョン法と呼ばれているものなどがある。）を用いて第１の導電性材料で表面処理することにより行われる。また、本発明による負極活物質粒子は、これらの異なる製法によって作製された負極活物質粒子の混合粉を用いたものであってもよい。
【００６３】
前記製法の中で、特にメカニカルアロイング法、メカニカルグラインディング法などを用いて非晶質化されたシリコン合金粒子の表面に第１の導電性材料を被覆すると、リチウムイオンの吸蔵・放出に伴い粒子形状が破壊した場合でも、シリコン合金粒子の表面の一部にこれらの第１の導電性材料が凹凸を形成しながら残存し、かつ、粒子形状を維持していることから、固着された第１の導電性材料を媒体として各粒子間の電気的な繋がりが維持され、リチウム二次電池容量の減少が抑制される。
【００６４】
本発明による負極活物質粒子を用いて負極を形成するためには、銅箔などからなる負極集電体に本発明による負極活物質粒子の他、鉄、アルミニウム、銅、ニッケル、クロム、マグネシウム、鉛、錫、錫半田、亜鉛および導電性炭素材料よりなる群から選ばれた１種又は２種以上の第２の導電性材料とバインダーとを含む被覆材料を塗工し熱乾燥させることにより、所定の空隙率を有する被覆層で表面処理されたリチウム二次電池用の負極を作製することができる。
【００６５】
このとき、メカニカルアロイング法、メカニカルグラインディング法、焼結法、またはその他の表面改質複合化法を用いて非晶質領域を有するシリコン合金粒子の表面に第１の導電性材料を固着させた負極活物質粒子を用いると、これらの負極活物質粒子は複雑な表面形状を有する粒子形状を維持していることから、塗工後、所定の空隙率を有する被覆層で表面処理されたリチウム二次電池用の負極の形成を容易にし、負極集電体を塗工する上で極めて重要な因子の一つとなる。
【００６６】
このように、本発明による負極集電体への塗工方法は、それ以外で他の特許に説明されているような負極集電体表面を粗面化したところに数μｍの厚さに柱状シリコンをイオンスパッタリング、ＰＶＤ、ＣＶＤおよびメッキなどの方法により形成させる表面処理方法に対して被覆層の厚みを厚くできることから、電極容量を大きくして容積効率を高めることができる。
【００６７】
この結果、本発明による負極を用いたリチウム二次電池は、高率充放電に対して厚み９０μｍの電極においては、２Ｃまでは０．２Ｃの場合とほぼ同程度の電池容量を示すために、小型の携帯用機器へ適用することもできる。
【００６８】
また、負極に形成される被覆層の空隙率は、負極集電体の両面に負極活物質粒子を塗工し熱乾燥した状態での前記被覆層の空隙率を好ましくは３７％〜６５％の範囲内にすることで、負極活物質粒子のリチウムイオンの吸蔵・放出に伴う体積膨張を被覆層内部のみで吸収して負極の厚みの増加を抑制することができるため、全体としても前記負極が組み込まれたリチウム二次電池の形状変化を最小限に抑えることができる。
【００６９】
このような負極に形成される被覆層の空隙は、従来、電極密度と被覆面との平滑性を高めるために、塗工後、プレス加工されていたが、このような加圧成形をすると、逆に負極の厚みを変動させてリチウム二次電池を設計通りの寸法に仕上げることができず、また、サイクル試験中にも負極の厚みが変動するために、限られた容積内での負極の動きにより内部短絡が発生するという問題があった。
【００７０】
しかしながら、本発明による負極を用いたリチウム二次電池の製造方法によれば、このように被覆層に形成される空隙率を所定範囲内に制御することが可能となり、負極を加圧成形しないことにより上記問題を解決できる。
【発明の効果】
【００７１】
本発明による負極活物質粒子は、（１）負極活物質粒子のリチウムイオンの吸蔵・放出に伴う粒子の微細化の抑制と、（２）負極活物質粒子のリチウムイオンの吸蔵・放出に伴う粒子の微細化が起こっても微細化された微粒子の電気的な繋がりを保持することができる。
【００７２】
また、本発明による負極活物質粒子は、（３）比較的簡単な工程で製造でき、リチウムイオンの吸蔵及び放出時における体積変化を低減できるリチウム二次電池用負極活物質粒子およびその製造方法並びにその負極活物質粒子を用いた負極およびリチウム二次電池を提供することができる。
【００７３】
さらに、本発明による負極活物質粒子は、（４）充放電効率が高く、サイクル寿命及びエネルギー密度が低下せず、更に内部抵抗が増大しないリチウム二次電池を提供することができる。
【００７４】
また逆に、上述したような本発明による負極活物質粒子において規定される範囲外の構成または値を用いた負極活物質粒子を用いると、充放電サイクル経過後のリチウム二次電池の特性は図３の中のＣで示されたように初期特性を維持できなくなり実用に適しない。
【００７５】
なお、本発明における他の金属元素の個々の比率および原材料の粒度などについては特に限定するものではなく、リチウム二次電池の用途・容量・形態に応じて適宜選択されるものである。
【発明を実施するための最良の形態】
【００７６】
以下、本発明による負極活物質粒子を用いた負極、およびその負極を用いたリチウム二次電池について実施例を用いて具体的に説明すると共に、充放電サイクル特性が向上されることを比較例を挙げて明らかにする。
【実施例】
【００７７】
図１は、本発明による負極活物質粒子を用いた薄型のリチウム二次パック電池１の外観斜視図を示し、電池１にはそれぞれ正極端子２および負極端子３が設けられている。
【００７８】
図２には、図１に用いられている負極の斜視図が示されており、厚み約８μｍの銅箔からなる負極集電体４の表裏面に、主に本発明による負極活物質粒子５を表裏面で相対的に少し位置をずらしてそれぞれ厚みが約５０μｍになるように塗布して乾燥したものである。
【００７９】
また、図４には、本発明による負極活物質粒子の製造プロセスと各プロセスにおける負極活物質粒子の形態概念図を示している。
【００８０】
図４を参照して、本発明による負極活物質粒子の製造プロセスを以下に説明する。負極活物質粒子５は、通常の溶融合金化法により、シリコンにアルミニウム０．０７％、クロム０．０１％、鉄０．１％およびマグネシウム０．０１％をあらかじめ添加させた平均粒子径２μｍを有するプレ・シリコン合金粉末粒子を作製し使用した。
【００８１】
つぎに、このプレ・シリコン合金粉末粒子と平均粒子径３μｍを有するニッケル粒子粉末、およびマグネシウム粉末粒子とを０．５：０．３５：０．１５の重量比となるように混合し、アルゴンガス雰囲気下で遊星ボールミル容器内に収納して前記容器を密閉した上で約１０時間高速回転させること（メカニカルアロイング法）によりプレ・シリコン合金粉末粒子とニッケル粉末粒子、マグネシウム粉末粒子とを合金化し非晶質化させたシリコン−ニッケル−マグネシウム合金粉末粒子を作製した。
【００８２】
このとき作製されたシリコン−ニッケル−マグネシウム合金粉末粒子をＸＲＤ分析したところ、シリコン元素のピークは検出されなかったことから、すべてのシリコンが非晶質化したものと考えられる。
【００８３】
つぎに、ニッケルおよび鉄の重量比が０．２５：０．２５となるように混合された金属粉末粒子と黒鉛粉末との重量比が０．５：０．５となるように配合された第１の導電性材料と、前記非晶質化されたシリコン−ニッケル−マグネシウム合金粉末粒子との重量比が１：１（シリコン−ニッケル−マグネシウム合金粉末粒子：金属粉末粒子：黒鉛との重量比が１．０：０．５（０．２５Ｎｉ：０．２５Ｆｅ）：０．５）となるように配合して、ハイブリダイジング法によりシリコン−ニッケル−マグネシウム合金粉末粒子の表面改質処理を行なうことにより、本発明による負極活物質粒子５の粉末を作製した。
【００８４】
作製された本発明による負極活物質粒子５の粉末にバインダーを加えて攪拌し、塗工機のタンクに充填し塗工ヘッドより間欠的に吐出させることにより負極集電体４の表裏面に塗工し、さらに、約１５０℃で乾燥した後に所定の幅で一定の長さを有するスリット形状に切断することにより、本発明によるリチウム二次電池用の負極４を作製した。
【００８５】
つぎに、接着フィルムが熱接着された負極端子２を負極集電体４の端部表面上にある未塗工部分に超音波溶接し、真空乾燥後に正極とセパレーターを介して重ね合わせながら巻き込み、さらに、アルミラミネートフィルムを成形した電池パック内に装填して片面を残して熱シールし、未シール部分から電解液を真空含浸した後に未シール部分を真空下で熱シールすることにより真空密閉してリチウム二次電池１を作製した。
【００８６】
前記リチウム二次電池１の作製条件は、以下のとおりである。
【００８７】
（１）負極
【００８８】
負極活物質８８ｗｔ％、導電剤（ケッチェンブラック）４ｗｔ％、バインダー（ポリフッ化ビニリデン）８ｗｔ％よりなる負極合剤に溶剤（Ｎ−メチルピロリドン）の適量を加えることにより溶解してペースト状とし、これを負極集電体４（厚さ８μｍの銅箔）に乾燥塗工膜の厚みが約６０μｍとなるように塗工した。
【００８９】
（２）セパレーター
【００９０】
厚さ約２０μｍの多層ポリエチレンフィルムを用いた。
【００９１】
（３）正極
【００９２】
コバルト酸リチウム４０ｗｔ％、鉄リン酸リチウム１０ｗｔ％、ニッケル−コバルト酸リチウム４０ｗｔ％よりなる正極活物質９０ｗｔ％と、導電剤（ケッチェンブラック）５ｗｔ％とバインダー（ポリフッ化ビニリデン）５ｗｔ％とを混合し、適量の溶剤（Ｎ−メチルピロリドン）を加えることにより溶解してペースト状とし、これを正極集電体（厚さ約１５μｍのアルミ箔）に、プレス後の乾燥塗工膜の比重が３、厚みが約６０μｍとなるように塗工した。
【００９３】
（４）電解液
【００９４】
エチレンカーボネートとジエチルカーボネートとが１：１の混合液に、ＬｉＰＦ６を１Ｍ濃度となるように溶解した。
【００９５】
このようにして作製された、本発明による負極活物質粒子が塗工された負極を有する薄型パック電池の設計上の理論容量は約１，２００ｍＡｈとなる。
【００９６】
図３には、本発明によるリチウム二次電池による５時間率での充放電サイクルした場合の結果と、その比較例として、プレス処理をするなどして負極被覆層の空隙率を３５％にした負極を用いたリチウム二次電池による５時間率での充放電サイクルした電池の特性を示す。
【００９７】
ここで、図３の中のＡで示される曲線は本発明による負極活物質粒子が塗工された負極を備えたリチウム二次電池の充放電特性であり、Ｃで示される曲線は結晶質シリコンが残留した組成の負極活物質粒子を塗工した後、プレス処理をするなどして空隙率を３５％にした負極を用いた比較例によるリチウム二次電池の特性を示す。また、付記番号の１および２は５サイクル目の特性であることを表し、付記番号の３および４は４５サイクル目の特性であることをを表す。
【００９８】
図３によれば、本発明によるリチウム二次電池は、特性Ａにより当初設計値どおりの電池容量が得られていることが判る。また、４５サイクル目経過後においても約１，１６０ｍＡｈの電池容量を示していることから、４５サイクル目経過後においても当初設計値の約９７％の電池容量を維持できることが判った。
【００９９】
一方、これに対し比較例によるリチウム二次電池の特性Ｃは、当初設計値の約１，２００ｍＡｈ電池容量に対して、最初の充電では約１，１８０ｍＡｈとほぼ設計値どおりの電池容量を示したが、５サイクル目では約９７０ｍＡｈ、４５サイクル目では約４０５ｍＡｈと電池容量の減衰が著しいことが判明した。
【０１００】
このように、本発明よるリチウム二次電池の充放電サイクル経過による電池容量の減少が小さいのは、負極内での本発明による負極活物質粒子からなる被覆層のリチウムイオン吸蔵・放出による体積膨張・収縮の変化が小さく、かつ、前記被覆層がその体積変化による応力歪に対抗できる強度を有しており、さらに、前記被覆層を構成する負極活物質粒子の微細化の進行が抑制されると共に、表面改質処理効果により複雑形状化された負極活物質粒子の表面が導電性機能を維持しているために、たとえ負極活物質粒子が負極集電体から離脱しても負極内での電気的接続ネットワークが確保されて、充放電時の十分な電子移動を可能としていることによるものと考えられる。
【０１０１】
なお、負極活物質粒子としてシリコンと他の金属元素とを混合物してその全部または一部を合金化して調整する場合は、他の金属元素を複数種類混合してより高い充放電効率を示す最適な他の金属元素の組み合わせがあることが認められた。
【０１０２】
例えば、アルミニウム、銅および錫は他の金属元素と合金化し易く、鉛およびアンチモンなどは他の金属元素との合金化を促進し、かつ、マグネシウムはリチウムイオンの吸蔵・放出に伴う体積膨張・収縮に対してもシリコン合金粒子の微細化を抑制して導電機構を維持する傾向が強いことが判明した。
【０１０３】
一方、これに対してアルミニウム、鉄、マグネシウムおよびニッケルは非常に活性であるために、特にシリコンと合金化する際の雰囲気に注意を払わないと酸化による発熱を起こし、その結果、リチウム二次電池の充放電効率を低下させるのでその取り扱いには注意を要する。金属酸化物がシリコン合金粒子内で部分的にでも存在すると、リチウムイオンを吸蔵した場合にリチウムイオンが酸化して不活性化してしまい、惹いてはリチウム二次電池の容量を減少させることになる。なお、リチウム二次電池に用いられる全ての材料の水分率は、１０ｐｐｍ以下とすることによりリチウム二次電池の寿命が向上することが判った。
【図面の簡単な説明】
【０１０４】
【図１】本発明による負極活物質を用いた薄型パック電池の斜視図を示す。
【図２】本発明による負極活物質を塗工した負極の斜視図を示す。
【図３】本発明による負極が適用されたリチウム二次電池と比較例とのリチウム二次電池の充放電サイクル特性を示す。
【図４】本発明による負極活物質粒子の製造プロセスと各プロセスにおける負極活物質粒子の形態概念図示す。
【符号の説明】
【０１０５】
１    薄型パック電池
２    負極端子
３    正極端子
４    負極集電体
５    負極活物質
【図１】
0004752996.tif 000002
【図２】
0004752996.tif 000003
【図３】
0004752996.tif 000004
【図４】
0004752996.tif 000005